【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
第２のワイヤレス・デバイスとプライバシーキーを共有する第１のワイヤレス・デバイスのためのアドレスプライバシー保護のための方法であって、
入力引数としてシード値と前記第１および第２のワイヤレス・デバイスにのみ知られている前記プライバシーキーとをともなう擬似ランダム関数を使用して前記第１のワイヤレス・デバイスにおいて第１のレゾリューションタグを生成することと、
前記第１のワイヤレス・デバイスにおいて、前記第１のレゾリューションタグと連結した前記シード値により、前記第１のワイヤレス・デバイスのためのプライバシー・アドレスを生成することと、および
前記第１のワイヤレス・デバイスから前記第２のワイヤレス・デバイスへ前記プライバシー・アドレスおよび前記第１のレゾリューションタグを含み、前記第１のワイヤレス・デバイスのための特定のデバイスアドレスを含まない、パケットを送信することと
を備える方法。
【請求項２】
前記擬似ランダム関数は、短縮されたキー付きハッシュ・メッセージ認証コードを生成する、請求項１に記載のアドレスプライバシー保護のための方法。
【請求項３】
前記擬似ランダム関数は、暗号化ベースのメッセージ認証コードを生成する、請求項１に記載のアドレスプライバシー保護のための方法。
【請求項４】
前記プライバシーキーは、前記第１と第２のワイヤレス・デバイスのペアに基づいて生成されるペアにされたデバイスキーである、請求項１に記載のアドレスプライバシー保護のための方法。
【請求項５】
前記パケットは、前記シード値をさらに含む、請求項１に記載のアドレスプライバシー保護のための方法。
【請求項６】
前記シード値は、ナンス（nonce）である、請求項５に記載のアドレスプライバシー保護のための方法。
【請求項７】
前記シード値は、前記第１および第２のワイヤレス・デバイスによって維持されるカウンター値である、請求項１に記載のアドレスプライバシー保護のための方法。
【請求項８】
前記シード値は、タイムスタンプである、請求項１に記載のアドレスプライバシー保護のための方法。
【請求項９】
前記パケットは、前記第１と第２のワイヤレス・デバイス間の前記シード値を同期するための前記シード値の一部を含む、請求項１に記載のアドレスプライバシー保護のための方法。
【請求項１０】
前記プライバシー・アドレスは、前記第１のレゾリューションタグと連結した前記シード値である、請求項１に記載のアドレスプライバシー保護のための方法。
【請求項１１】
前記第２のワイヤレス・デバイスが前記第２のワイヤレス・デバイスとのみ関連するワイヤレス受信チャネル上で前記第１のワイヤレス・デバイスから前記パケットを受信することと、
前記第２のワイヤレス・デバイスが入力引数として前記シード値および前記プライバシーキーをともなう前記擬似ランダム関数を使用して第２のレゾリューションタグを生成することと、および
前記第２のワイヤレス・デバイスが前記第２のレゾリューションタグが前記第１のレゾリューションタグと一致するとき、前記第１のワイヤレス・デバイスへ前記プライバシー・アドレスをマッピングすることとをさらに具備する、請求項１に記載のアドレスプライバシー保護のための方法。
【請求項１２】
前記第１のワイヤレス・デバイスは、ブロードキャスト匿名ページング・チャネル上で前記第２のワイヤレス・デバイスに前記パケットを送信し、
前記方法は、前記第２のワイヤレス・デバイスが前記第１のワイヤレス・デバイスの前記プライバシー・アドレスによって定義されるワイヤレス受信チャネル上で前記第１のワイヤレス・デバイスへ第２のパケットを転送することをさらに備える、請求項１１に記載のアドレスプライバシー保護のための方法。
【請求項１３】
第２のワイヤレス・デバイスとプライバシーキーを共有する、アドレスプライバシー保護を伴う装置であって、
入力引数としてシード値と前記装置および前記第２のワイヤレス・デバイスにのみ知られている前記プライバシーキーとをともなう擬似ランダム関数を使用して第１のレゾリューションタグを生成する手段と、
前記第１のレゾリューションタグと連結した前記シード値により、前記装置のためのプライバシー・アドレスを生成する手段と、および
前記第２のワイヤレス・デバイスに前記プライバシー・アドレスおよび前記第１のレゾリューションタグを含み、前記装置のための特定のデバイスアドレスを含まない、パケットを送信する手段と
を備える装置。
【請求項１４】
前記擬似ランダム関数は、短縮されたキー付きハッシュ・メッセージ認証コードを生成する、請求項１３に記載のアドレスプライバシー保護を伴う装置。
【請求項１５】
前記擬似ランダム関数は、暗号化ベースのメッセージ認証コードを生成する、請求項１３に記載のアドレスプライバシー保護を伴う装置。
【請求項１６】
前記プライバシーキーは、前記第１と第２のワイヤレス・デバイスのペアに基づいて生成されるペアにされたデバイスキーである、請求項１３に記載のアドレスプライバシー保護を伴う装置。
【請求項１７】
前記パケットは、前記シード値をさらに含む、請求項１３に記載のアドレスプライバシー保護を伴う装置。
【請求項１８】
前記シード値は、ナンスである、請求項１７に記載のアドレスプライバシー保護を伴う装置。
【請求項１９】
前記シード値は、前記装置および前記第２のワイヤレス・デバイスによって維持されるカウンター値である、請求項１３に記載のアドレスプライバシー保護を伴う装置。
【請求項２０】
前記シード値は、タイムスタンプである、請求項１３に記載のアドレスプライバシー保護を伴う装置。
【請求項２１】
前記パケットは、前記第１と第２のワイヤレス・デバイス間の前記シード値を同期するための前記シード値の一部を含む、請求項１３に記載のアドレスプライバシー保護を伴う装置。
【請求項２２】
前記プライバシー・アドレスは、前記第１のレゾリューションタグと連結した前記シード値である、請求項１３に記載のアドレスプライバシー保護を伴う装置。
【請求項２３】
コンピュータ・プログラムであって、
入力引数としてシード値とコンピュータおよび第２のワイヤレス・デバイスにのみ知られているプライバシーキーとをともなう擬似ランダム関数を使用して第１のレゾリューションタグを前記コンピュータに生成させるためのコードと、
前記第１のレゾリューションタグと連結した前記シード値により、プライバシー・アドレスをコンピュータに生成させるためのコードと、および
前記第２のワイヤレス・デバイスに前記プライバシー・アドレスおよび前記第１のレゾリューションタグを含み、前記コンピュータのための特定のデバイスアドレスを含まない、パケットをコンピュータに送信させるためのコードと
を具備するコンピュータ・プログラム。
【請求項２４】
前記擬似ランダム関数は、短縮されたキー付きハッシュ・メッセージ認証コードを生成する、請求項２３に記載のコンピュータ・プログラム。
【請求項２５】
前記擬似ランダム関数は、暗号化ベースのメッセージ認証コードを生成する、請求項２３に記載のコンピュータ・プログラム。
【請求項２６】
前記プライバシーキーは、前記コンピュータおよび前記第２のワイヤレス・デバイスのペアに基づいて生成されるペアにされたデバイスキーである、請求項２３に記載のコンピュータ・プログラム。
【請求項２７】
前記パケットは、前記シード値をさらに含む、請求項２３に記載のコンピュータ・プログラム。
【請求項２８】
前記シード値は、ナンスである、請求項２７に記載のコンピュータ・プログラム。
【請求項２９】
前記シード値は、前記コンピュータおよび前記第２のワイヤレス・デバイスによって維持されるカウンター値である、請求項２３に記載のコンピュータ・プログラム。
【請求項３０】
前記シード値は、タイムスタンプである、請求項２３に記載のコンピュータ・プログラム。
【請求項３１】
前記パケットは、前記コンピュータと第２のワイヤレス・デバイスとの間の前記シード値を同期するための前記シード値の一部を含む、請求項２３に記載のコンピュータ・プログラム。
【請求項３２】
前記プライバシー・アドレスは、前記第１のレゾリューションタグと連結した前記シード値である、請求項２３に記載のコンピュータ・プログラム。
【請求項３３】
第２のワイヤレス・デバイスとプライバシーキーを共有する、アドレスプライバシー保護を伴う時計であって、
入力引数としてシード値と前記時計および前記第２のワイヤレス・デバイスにのみ知られている前記プライバシーキーとをともなう擬似ランダム関数を使用して第１のレゾリューションタグを生成する手段と、
前記第１のレゾリューションタグと連結した前記シード値により、前記時計のためのプライバシー・アドレスを生成する手段と、および
前記第２のワイヤレス・デバイスに前記プライバシー・アドレスおよび前記第１のレゾリューションタグを含み、前記時計のための特定のデバイスアドレスを含まない、パケットを送信する手段と
を備える、時計。
【請求項３４】
第２のワイヤレス・デバイスとプライバシーキーを共有する、アドレスプライバシー保護を伴うヘッドセットであって、
入力引数としてシード値と前記ヘッドセットおよび前記第２のワイヤレス・デバイスにのみ知られている前記プライバシーキーとをともなう擬似ランダム関数を使用して第１のレゾリューションタグを生成する手段と、
前記第１のレゾリューションタグと連結した前記シード値により、前記ヘッドセットのためのプライバシー・アドレスを生成する手段と、および
前記第２のワイヤレス・デバイスに前記プライバシー・アドレスおよび前記第１のレゾリューションタグを含み、前記ヘッドセットのための特定のデバイスアドレスを含まない、パケットを送信する手段と
を備える、ヘッドセット。
【請求項３５】
第２のワイヤレス・デバイスとプライバシーキーを共有する、アドレスプライバシー保護を伴うセンシング・デバイスであって、
入力引数としてシード値と前記センシング・デバイスおよび前記第２のワイヤレス・デバイスにのみ知られている前記プライバシーキーとをともなう擬似ランダム関数を使用して第１のレゾリューションタグを生成する手段と、
前記第１のレゾリューションタグと連結した前記シード値により、前記センシング・デバイスのためのプライバシー・アドレスを生成する手段と、および
前記第２のワイヤレス・デバイスに前記プライバシー・アドレスおよび前記第１のレゾリューションタグを含み、前記センシング・デバイスのための特定のデバイスアドレスを含まない、パケットを送信する手段と
を備えるセンシング・デバイス。
【請求項３６】
第２のワイヤレス・デバイスとプライバシーキーを共有する、アドレスプライバシー保護を伴う装置であって、
入力引数としてシード値と前記装置および前記第２のワイヤレス・デバイスにのみ知られている前記プライバシーキーとをともなう擬似ランダム関数を使用して第１のレゾリューションタグを生成するように、
前記第１のレゾリューションタグと連結した前記シード値により、前記装置のためのプライバシー・アドレスを生成するように、
前記第２のワイヤレス・デバイスに前記プライバシー・アドレスおよび前記第１のレゾリューションタグを含み、前記装置のための特定のデバイスアドレスを含まない、パケットを送信するように、
構成されたプロセッサ、
を備える装置。
【請求項３７】
前記擬似ランダム関数は、短縮されたキー付きハッシュ・メッセージ認証コードを生成する、請求項３６に記載のアドレスプライバシー保護を伴う装置。
【請求項３８】
前記擬似ランダム関数は、暗号化ベースのメッセージ認証コードを生成する、請求項３６に記載のアドレスプライバシー保護を伴う装置。
【請求項３９】
前記プライバシーキーは、コンピュータと第２のワイヤレス・デバイスのペアに基づいて生成されるペアにされたデバイスキーである、請求項３６に記載のアドレスプライバシー保護を伴う装置。
【請求項４０】
前記パケットは、前記シード値をさらに含む、請求項３６に記載のアドレスプライバシー保護を伴う装置。
【請求項４１】
前記シード値は、ナンスである、請求項４０に記載のアドレスプライバシー保護を伴う装置。
【請求項４２】
前記シード値は、コンピュータおよび前記第２のワイヤレス・デバイスによって維持されるカウンター値である、請求項３６に記載のアドレスプライバシー保護を伴う装置。
【請求項４３】
前記シード値は、タイムスタンプである、請求項３６に記載のアドレスプライバシー保護を伴う装置。
【請求項４４】
前記パケットは、コンピュータと第２のワイヤレス・デバイス間の前記シード値を同期するための前記シード値の一部を含む、請求項３６に記載のアドレスプライバシー保護を伴う装置。
【請求項４５】
前記プライバシー・アドレスは、前記第１のレゾリューションタグと連結した前記シード値である、請求項３６に記載のアドレスプライバシー保護を伴う装置。